(57)【要約】【課題】つなぎ合わせ部分の強度を高めることができる嵌合式建材パネルを提案する。【解決手段】下継手に、該パネル本体の短尺縁部の全域にわたって面一状態でつながる板状体を設け、上継手に、該パネル本体に面一状態で一体連結する第一の板状体を設け、板状体を、該板状体の後端部でパネル本体の水下側に向けて折り返され、該板状体との相互間で水上側に隣接配置する他の建材パネルの上継手との嵌合、引っ掛け空間を区画形成する第一の折り返し片と、該第一の折り返し片の先端部でパネル本体の水上側に向けて折り返され、該板状体の後端縁を通り越して伸延する第二の折り返し片とを有するもので構成する。上継手の第一の板状体には、先端部を内向きに折り返した折り返し部を有し、第一の板状体の先端部でパネル本体の水上側に向けて折り返されて隣接配置する他の建材パネルの下継手に嵌合、引っ掛け可能な第三の折り返し片を設け、板状体の第一の折り返し片には、該嵌合空間の入側開口に向けて張り出して該入側開口を狭める膨出部を設ける。【選択図】  図１
2020186553.tif 000002
【特許請求の範囲】
【請求項１】
長手方向に沿って伸延する一対の長尺縁部とこれら各長尺縁部を挟み込み幅方向に沿って伸延する一対の短尺縁部とによって区画された輪郭形状を有するパネル本体と、該パネル本体の各短尺縁部にそれぞれ設けられた下継手、上継手と、該パネル本体の各長尺縁部のそれぞれに沿って一体連結する上ハゼ、下ハゼとを備え、該下継手を、該パネル本体の水上側に隣接配置する他の建材パネルの上継手に嵌合、引っ掛け、該上継手を、該パネル本体の水下側に隣接配置する他の建材パネルの下継手に嵌合、引っ掛けてパネル同士を縦方向に接続する一方、該上ハゼ、下ハゼを、隣接配置する別の建材パネルの下ハゼ、上ハゼにそれぞれ嵌合させてパネル同士を横方向に接続して建築構造物の屋根、壁を構築する嵌合式建材パネルであって、
前記下継手に、該パネル本体の短尺縁部の全域にわたって面一状態でつながる板状体を設け、
前記上継手に、該パネル本体に面一状態で一体連結する第一の板状体を設け、
板状体は、該板状体の後端部でパネル本体の水下側に向けて折り返され、該板状体との相互間で水上側に隣接配置する他の建材パネルの上継手との嵌合、引っ掛け空間を区画形成する第一の折り返し片と、該第一の折り返し片の先端部でパネル本体の水上側に向けて折り返され、該板状体の後端縁を通り越して伸延する第二の折り返し片とを有し、
該第一の板状体は、その先端部でパネル本体の水上側に向けて折り返されて隣接配置する他の建材パネルの下継手に嵌合、引っ掛け可能な第三の折り返し片を有し、
該第一の折り返し片に、該嵌合空間の入側開口に向けて張り出して該入側開口を狭める膨出部を設け、
該第三の折り返し片に、その先端部を内向きに折り返した返し部を設けたことを特徴とする嵌合式建材パネル。
【請求項２】
前記下継手は、前記板状体の幅方向の端縁および該上ハゼの端部につながるとともに水上側に隣接配置する他の建材パネルの上ハゼに嵌合可能な第一のハゼと、該板状体のもう一方の幅方向の縁部および該下ハゼの端部につながるとともに水上側に隣接配置する他の建材パネルの下ハゼに嵌合可能な第二のハゼとを有し、
前記上継手は、前記第一の板状体の幅方向の各端部および前記上ハゼ、下ハゼにそれぞれ面一状態で一体連結する第三のハゼ、第四のハゼとを有することを特徴とする請求項１に記載した嵌合式建材パネル。
【発明の詳細な説明】
【技術分野】
【０００１】
本発明は、一般住宅や事務所、マンション、福祉施設、リゾート施設等の屋根や壁を構築するのに用いて好適な、嵌合式建材パネルに関するものである。
【背景技術】
【０００２】
嵌合式の建材パネルは、従来、屋根材として広く用いられており、パネル本体の幅方向の端部に設けられた上ハゼ、下ハゼを、隣接配置する他の建材パネルの下ハゼ、上ハゼにそれぞれ嵌合させることによりパネル同士をつなぎ合わせる施工が行われてきている。しかし、近年では、さらに、パネル本体の長手方向に上継手、下継手を設け、水下側、水上側に隣接配置される建材パネルとの相互間で上継手、下継手をそれぞれ相互に嵌合させてパネル同士をつなぎ合わせる構造の建材パネルも開発されてきており、この点に関する先行技術としては、例えば、特許文献１が参照される。
【０００３】
ところで、上記従来の建材パネルは、強風の吹き込みや過大な負圧が作用した場合に、パネルのつなぎ合わせ部分で変形を引き起こすことがないとはいえず未だ改善の余地が残されている。
【先行技術文献】
【特許文献】
【０００４】
【特許文献１】特開２０１６−２０５１２０号公報
【発明の概要】
【発明が解決しようとする課題】
【０００５】
本発明の目的は、とくに、上継手、下継手の強化を図り、つなぎ合わせ部分での変形を確実に回避し得る嵌合式建材パネルを提案するところにある。
【課題を解決するための手段】
【０００６】
本発明は、長手方向に沿って伸延する一対の長尺縁部とこれら各長尺縁部を挟み込み幅方向に沿って伸延する一対の短尺縁部とによって区画された輪郭形状を有するパネル本体と、該パネル本体の各短尺縁部にそれぞれ設けられた下継手、上継手と、該パネル本体の各長尺縁部のそれぞれに沿って一体連結する上ハゼ、下ハゼとを備え、該下継手を、該パネル本体の水上側に隣接配置する他の建材パネルの上継手に嵌合、引っ掛け、該上継手を、該パネル本体の水下側に隣接配置する他の建材パネルの下継手に嵌合、引っ掛けてパネル同士を縦方向に接続する一方、該上ハゼ、下ハゼを、隣接配置する別の建材パネルの下ハゼ、上ハゼにそれぞれ嵌合させてパネル同士を横方向に接続して建築構造物の屋根、壁を構築する嵌合式建材パネルであって、
前記下継手に、該パネル本体の短尺縁部の全域にわたって面一状態でつながる板状体を設け、
前記上継手に、該パネル本体に面一状態で一体連結する第一の板状体を設け、
該板状体は、該板状体の後端部でパネル本体の水下側に向けて折り返され、該板状体との相互間で水上側に隣接配置する他の建材パネルの上継手との嵌合空間を区画形成する第一の折り返し片と、該第一の折り返し片の先端部でパネル本体の水上側に向けて折り返され、該板状体の後端縁を通り越して伸延する第二の折り返し片とを有し、
該第一の板状体は、その先端部でパネル本体の水上側に向けて折り返されて隣接配置する他の建材パネルの下継手に嵌合、引っ掛け可能な第三の折り返し片を有し、
該第一の折り返し片に、該嵌合空間の入側開口に向けて張り出して該入側開口を狭める膨出部を設け、
該第三の折り返し片に、その先端部を内向きに折り返した返し部を設けたことを特徴とする嵌合式建材パネルである。
【０００７】
上記の構成からなる嵌合式建材パネルにおいて、前記下継手は、前記板状体の幅方向の端縁および該上ハゼの端部につながるとともに水上側に隣接配置する他の建材パネルの上ハゼに嵌合可能な第一のハゼと、該板状体のもう一方の幅方向の縁部および該下ハゼの端部につながるとともに水上側に隣接配置する他の建材パネルの下ハゼに嵌合可能な第二のハゼとを有し、
前記上継手は、前記第一の板状体の幅方向の各端部および前記上ハゼ、下ハゼにそれぞれ面一状態で一体連結する第三のハゼ、第四のハゼとを有することが望ましい。
【発明の効果】
【０００８】
本発明によれば、下継手を、第一の折り返し片と第二の折り返し片とを備えた二重折り構造とし、上継手の第三の折り返し片に返し部を設けたため、その部位の剛性が高まり、強風の吹き込みや過大な負圧が作用しても簡単に変形することがない。
【０００９】
また、本発明によれば、第一の折り返し片に、該嵌合空間の入側開口に向けて張り出して該入側開口を狭める膨出部を設け、第三の折り返し片に、その先端部を内向きに折り返した返し部を設けたため、建材パネルを僅かにスライドさせるだけで水下側、水上側に隣接配置する他の建材パネルの下継手、上継手とスナップ嵌合させることができる。
【図面の簡単な説明】
【００１０】
【図１】本発明にしたがう嵌合式建材パネルの実施の形態をその全体について示した外観斜視図である。
【図２】（ａ）は、図１のＡ−Ａ断面を拡大して示した図であり、（ｂ）は、図１のＢ−Ｂ断面を示した図である。
【図３】図１に示した嵌合式建材パネルを下継手側から見た外観斜視図である。
【図４】下継手を展開状態で示した外観斜視図である。
【図５】下継手を展開状態で示した外観斜視図である。
【図６】図１のＣ−Ｃ断面を示した図である。
【図７】本発明にしたがう嵌合式建材パネルの他の実施の形態を一部分について示した外観斜視図である。
【図８】建材パネルのつなぎ合わせ状況を示した断面図である。
【図９】本発明にしたがう嵌合式建材パネルを縦方向につなぎ合わせる状況を示した図である。
【図１０】本発明にしたがう嵌合式建材パネルを横方向につなぎ合わせる状況を示した図である。
【図１１】本発明にしたがう嵌合式建材パネルの他の実施の形態を示した図である。
【発明を実施するための形態】
【００１１】
以下、図面を参照して、本発明をより具体的に説明する。図１は、本発明にしたがう嵌合式建材パネルの実施の形態をその全体について示した外観斜視図であり、図２（ａ）（ｂ）は、図１のＡ−Ａ断面、Ｂ−Ｂ断面をそれぞれ拡大して示した図であり、図３は、図１に示した嵌合式建材パネルを下継手側から見た外観斜視図であり、図４、図５は、下継手を展開状態で示した外観斜視図であり、図６は、図１のＣ−Ｃ断面を示した図である。
【００１２】
本発明にしたがう嵌合式建材パネルは、屋根を葺きあげる場合、壁を構築する場合のいずれにおいても、下継手が設けられた側を水上側に向け、上継手が設けられた側を水下側に向けて配置するものとする。
【００１３】
建築構造物の屋根、壁を構築するにあたっては、本発明にしたがう建材パネルと同じ構成からなる建材パネルを複数枚用いることを前提としており、隣接配置する他の建材パネル、隣接配配置する別の建材パネルについても本願発明にしたがう建材パネルと同じ構成からなるものを用いる。また、建材パネルを構成する素材としては、厚さ０．２〜１．０ｍｍ程度になる亜鉛めっき鋼板、アルミニウム亜鉛合金めっき鋼板、銅板、アルミニウム板、ステンレス鋼板あるいは、それらの塗装または被覆鋼板等を用いることができる。
【００１４】
図１〜６における符号１は、パネル本体である。パネル本体１は、長手方向に沿って伸延する一対の長尺縁部１ａ、１ｂと、これら長尺縁部１ａ、１ｂを挟み込み、幅方向に沿って伸延する一対の短尺縁部１ｃ、１ｄによって区画された、全体として矩形状をなす輪郭形状を有している。
【００１５】
また、２は、パネル本体１の長尺縁部１ａに一体連結するとともに、隣接配置する別の建材パネルの下ハゼに嵌合してパネル同士を接続する上ハゼである。
【００１６】
上ハゼ２は、長尺縁部１ａから立ち上がる傾斜側板２ａと、この傾斜側板２ａの上端に係止顎部ｔ１を介してつながるとともに、桁方向に隣接配置する別の建材パネルの下ハゼに嵌合可能な内部空間を有する先端先細り形状をなすドーム型の頭部２ｂと、この頭部２ｂに係止顎部ｔ２を介して垂下、保持され、傾斜側板２ａとの相互間にて下開き開口を形成する傾斜側板２ｃとから構成されている。上ハゼ２は、頭部２ｂの側壁に長尺縁部１ａに沿って延伸する凹部を設けることが可能であり、これにより、桁方向に隣接配置する別の建材パネルの下ハゼに嵌合させた際に、その相互間で面接触するのを避けて雨水の侵入を防止することができるようになっている。
【００１７】
また、３は、パネル本体１の長尺縁部１ｂに一体連結するとともに、もう一方に隣接配置する別の建材パネルの下ハゼに嵌合してパネル同士を接続する下ハゼである。
【００１８】
この下ハゼ３は、長尺縁部１ｂから立ち上がる側板３ａと、この側板３ａの上端に係止顎部ｔ３を介してつながるとともに、隣接配置する別の建材パネルの上ハゼに嵌合可能な先端先細り形状をなすドーム型の頭部３ｂと、この頭部３ｂに係止顎部ｔ４介して垂下、保持され、側板３ａとの相互間にて下開き開口を形成する側板３ｃと、この側板３ｃの下端に水平姿勢でもって一体的につながるビス止め片３ｄから構成されている。
【００１９】
係止顎部ｔ１と係止顎部ｔ２とは相互に逆向きに突出していて、両者でもって嵌合させたハゼの引き抜けを防止する。また、係止顎部ｔ３と係止顎部ｔ４とは、上記の係止顎部ｔ１、係止顎部ｔ２と同様に、相互に逆向きになっており、両者でもって嵌合させたハゼの引き抜けを防止する。
【００２０】
４は、パネル本体１の短尺縁部１ｃに設けられた下継手である。この下継手４は、水上側に隣接配置する他の建材パネルの上継手の下側において重ね合わさるものであって、パネル本体１の短尺縁部１ｃの全域にわたって面一状態でつながる板状体４ａと、この板状体４ａの幅方向の端縁および上ハゼ２の端部につながるとともに水上側に隣接配置する他の建材パネルの上ハゼ（上継手の第三のハゼに相当するもの）に嵌合可能な第一のハゼ４ｂと、該板状体４ａのもう一方の幅方向の縁部および下ハゼ３の端部においてつながるとともに水上側に隣接配置する他の建材パネルの下ハゼ（上継手の第四のハゼに相当するもの）に嵌合可能な第二のハゼ４ｃとから構成されている。第二のハゼ４ｃの下端には、下ハゼ３のビス止め片３ｄに同一平面でつながる舌片４ｄを設けておくことができる。
【００２１】
下継手４の板状体４ａは、該板状体４ａの後端部でパネル本体１の水下側に向けて上向きに折り返され、該板状体４ａとの相互間で水上側に隣接配置する他の建材パネルの上継手との嵌合、引っ掛け空間Ｍを区画形成する第一の折り返し片４ａ１と、該第一の折り返し片４ａ１の先端部でパネル本体１の水上側に向けて折り返され、該板状体４ａの後端縁を通りこして伸延する第二の折り返し片４ａ２とを有しており、これにより下継手４は、二重折り構造となりその部位の剛性を高めることができるようになっている。
【００２２】
第二の折り返し片４ａ２は、その中間部分に曲げ加工を施して段下がりをなす断面形状としたものを例として示したが、該第二の折り返し片４ａ２は、平坦な板状のものを適用することも可能であり、図示のものに限定されない。
【００２３】
また、符号５は、第一の折り返し片４ａ１に設けられた膨出部である。この膨出部５は、嵌合空間Ｍの入側開口に向けて張り出しており、入側開口を狭めるものであって、第一の折り返し片４ａ１に曲げ加工を施すことにより形成される。膨出部５を設けることにより水上側に隣接配置する他の建材パネルとつなぎ合わせる際に、その上継手とスナップ嵌合させることができる。
【００２４】
また、符号６は、第二の折り返し片４ａ２の幅方向の端部に連続して設けられ、浸入雨水の排出経路を形成する延長片である。この延長片６は、第二の折り返し片４ａ２と同一平面でつながり、その境界Ｐに設けられた切欠き部６ａに第二のハゼ４ｃを差し入れることにより第二のハゼ４ｃの外壁側へ周り込むようになっており、切欠き部６ａにより形成された舌片６ｂがビス止め片３ｄの上に重なるように配置されている。
【００２５】
建材パネルのつなぎ合わせ部分において、第二の折り返し片４ａ２を通ってパネルの内側に雨水が浸入した場合、その浸入雨水は、図１の矢印に示すように、延長片６によりビス止め片３ｄへと誘導され、該ビス止め片３ｄに沿って流下して水下側の端部から排出される。
【００２６】
下継手４は、基本的には、ロール成形によりパネル本体１、上ハゼ２、下ハゼ３と同一断面形状に形成したのち、プレス成形による絞り加工を施すことによって成形される。
【００２７】
下継手４の幅寸法は、水上側に隣接配置する他の建材パネルとのつなぎ合わせに際して相互に確実に重ね合わせることができるように、水上側に隣接配置する他の建材パネルのパネル本体の幅寸法（実際には上継手の幅寸法）よりも若干広くしておくのが好ましい。
【００２８】
また、符号７は、パネル本体１のもう一方の短尺縁部１ｄに設けられた上継手（パネルの水下側に配置される）である。この上継手７は、パネル本体１と面一状態でつながり、水下側に隣接配置する他の建材パネルの短尺縁部（下継手に相当する部分）の上側において重ね合わさるものである。
【００２９】
上継手７は、パネル本体１に面一状態で一体連結する第一の板状体７ａと、この第一の板状体７ａの幅方向の各端部および上ハゼ２、下ハゼ３にそれぞれ面一状態で一体連結する第三のハゼ７ｂ、第四のハゼ７ｃとを備えており、第一の板状体７ａには、該第一の板状体７ａの先端部でパネル本体１の水上側に向けて下向きに折り返されて隣接配置する他の建材パネルの下継手に嵌合、引っ掛け可能な第三の折り返し片７ｄが設けられている。
【００３０】
第三の折り返し片７ｄは、第一の板状体７ａに対して１８０°曲げとなるように折り返しておくことができる。
【００３１】
また、符号８は、第三の折り返し片７ｄ、延長片６に設けられた返し部である。この返し部８は、第三の折り返し片７ｄの先端部を内向きに折り返してパネル本体１との相互間隔を狭めるものである。返し部８を設けることによりその部位の剛性が高められるとともに、水下側に隣接配置する他の建材パネルとつなぎ合わせる際にその下継手とスナップ嵌合させることできる。
【００３２】
また、符号９は、第二のハゼ４ｃに設けられた舌片である。舌片９は、第二のハゼ４ｃの内壁４ｃ１の後端縁に縦状につながっており、それを外壁４ｃ２側へと折り返し内壁４ｃ１と外壁４ｃ２との間に形成される隙間ｄを塞ぐことにより浸入雨水の該隙間ｄからの流れ込みを回避するものである。
【００３３】
隙間ｄには、シール材を充填しておくことができ、また、舌片８の裏面には、シール材を貼着しておくことができる。
【００３４】
また、符号１０は、第二の折り返し片４ａ２、延長片６の端縁を、例えば、曲げ加工により折り返すことによって隆起させた堰である。この堰１０は、浸入雨水を、第二の折り返し片４ａ２、延長片６の外側へと流出するのを阻止する機能を有している。なお、延長片６に設けられた堰１０の端部は、ビス止め片３ｄに形成された折り返し部の内側に巻き込まれている。
【００３５】
上記の構成からなる嵌合式建材パネルは、下継手４が二重折り構造になっており、その部位が高い強度を有しているため過大な負圧が作用しても変形を起し難く、また、建材パネルのつなぎ合わせ部分から雨水が浸入することがあったとしても、その浸入雨水を、水下側から効率よく排出することができる。
【００３６】
なお、図７に示すように、第一のハゼ４ｂ、第二のハゼ４ｃおよび第二の折り返し片４ａ２の外表面には、第一のハゼ４ｂから第二のハゼ４ｃに至るまでの間で連続的に伸延する止水用のパッキン１１を設けることもでき、建材パネル同士をつなぎ合わせた際にパッキン１１を押し潰すことにより屋根あるいは壁の止水性をより一層高めることが可能となる。
【００３７】
本発明にしたがう嵌合式建材パネルを用いて屋根を葺きあげる場合において、建材パネルを梁間方向、すなわち、縦方向につなぎ合わせるには、まず、図８、図９に示すように、下継手４に水上側において隣接配置する他の建材パネルの上継手７′の第三の折り返し片７ｄ′をスナップ嵌合させて引っ掛けるとともに、下継手４の第一のハゼ４ｂを、水上側において隣接配置する他の建材パネルの上継手７′の第三のハゼ７ｂ′に、また、下継手４の第二のハゼ４ｃを、該水上側において隣接配置する他の建材パネルの上継手７′の第四のハゼ７ｃ′にそれぞれ嵌合させる一方、上継手７の第三のハゼ７ｂを、水下側において隣接配置する他の建材パネルの下継手４′の第一のハゼ４ｂ′に、また、上継手７の第四のハゼ７ｃを、水下側において隣接配置する他の建材パネルの下継手４′の第二のハゼ４ｃ′に嵌合させればよい。
【００３８】
また、本発明にしたがう嵌合式建材パネルを桁方向、すなわち、横方向につなぎ合わせるには、図１０に示すように、下ハゼ３を、隣接配置する別の建材パネルの上ハゼ２′′に嵌合させ、上ハゼ２を、隣接配置する別の建材パネルの下ハゼ３′′に嵌合させればよく、この作業を、縦方向でのつなぎ合わせ作業と並行して行うことにより建築構造物の屋根を葺きあげることができる。
【００３９】
建築構造物の壁を構築するに際しても、屋根を葺きあげる場合と同じ手順で建材パネルをつなぎ合わせればよい。
【００４０】
とくに、本発明にしたがう建材パネルにおいては、上継手７の第三の折り返し片７ｄの長さＬ（図６参照）を５〜２０ｍｍ程度の短い寸法に、また、下継手４の第一の折り返し片４ａ１、第一の折り返し片４ａ１の長さＬ１（図２参照）を５〜２０ｍｍ程度の短い寸法に設定できるので、建材パネルをつなぎ合わせる際の建材パネルのスライド量を小さくすることが可能であり、建材パネルのつなぎ合わせ部分に段差が形成されたとしもその段差が目立ち難くく、屋根や壁の美観を保つことができる利点を有している。
【００４１】
延長片６については、第二の折り返し片４ａ２の幅方向の端部に連続して設けられたもの、すなわち、一体連結したもの（同一板）を適用することができるが、図１１に示すように、折り返し部を有する板状体１２を、第二の折り返し片４ａ２の幅方向の端部に取り付けて構成することも可能であり、この場合、板状体１２は、堰１０およびビス止め片３ｄの折り返し部の内側に巻き込むことにより固定するのが好ましい。
【産業上の利用可能性】
【００４２】
本発明によれば、つなぎ合わせ部分の強度の改善を可能とする嵌合式建材パネルが提供できる。
【符号の説明】
【００４３】
１      パネル本体
１ａ    長尺縁部
１ｂ    長尺縁部
１ｃ    短尺縁部
１ｄ    短尺縁部
２      上ハゼ
２ａ    傾斜側板
２ｂ    頭部
２ｃ    傾斜側板
３      下ハゼ
３ａ    側板
３ｂ    頭部
３ｃ    側板
３ｄ    ビス止め片
４      下継手
４ａ    板状体
４ｂ    第一のハゼ
４ｃ    第二のハゼ
４ｄ    舌片
５      膨出部
６      延長片
６ａ    切欠き部
６ｂ    舌片
７      上継手
７ａ    第一の板状体
７ｂ    第三のハゼ
７ｃ    第四のハゼ
７ｄ    第三の折り返し片
８      返し部
９      舌片
１０    堰
１１    止水用のパッキン
１２    板状体
Ｍ      嵌合、引っ掛け空間
【図１】
2020186553.tif 000003
【図２】
2020186553.tif 000004
【図３】
2020186553.tif 000005
【図４】
2020186553.tif 000006
【図５】
2020186553.tif 000007
【図６】
2020186553.tif 000008
【図７】
2020186553.tif 000009
【図８】
2020186553.tif 000010
【図９】
2020186553.tif 000011
【図１０】
2020186553.tif 000012
【図１１】
2020186553.tif 000013